(57)【要約】      （修正有）【課題】光ファイバ心線のように外被を有さない光ファイバであっても把持部材で把持することができ、作業性にも優れるアタッチメント、光ファイバ心線保持構造および光コネクタを提供する。【解決手段】アタッチメント１は、光ファイバ心線を保持する部材である。アタッチメント１は、略矩形の断面形状の部材である。アタッチメント１の短辺側の一方の側面からスリット３が形成される。スリット３は、一方の側から、幅方向の中央よりも深く形成される。すなわち、スリット３の長さは、アタッチメント１の幅の１／２よりも長い。アタッチメント１の略中央には、保持部５が設けられる。保持部５は、スリット３の内面（対向する両面）に形成される凹部である。【選択図】図１
2017032934.tif 000002
【特許請求の範囲】
【請求項１】
光ファイバ心線または光ファイバケーブルの外周に取り付けられるアタッチメントであって、
長手方向に垂直な断面において、前記アタッチメントは、一方の側面にスリットが設けられ、
前記スリットから、光ファイバ心線または光ファイバケーブルを前記アタッチメントに挿入可能であることを特徴とするアタッチメント。
【請求項２】
前記アタッチメントは、光ファイバ心線の外周に取り付けられるものであり、
前記アタッチメントの略中央には、前記光ファイバ心線を保持可能な保持部が設けられ、
長手方向に垂直な断面において、前記スリットは、前記スリットの開口部側から前記保持部の位置よりも奥まで形成されることを特徴とする請求項１記載のアタッチメント。
【請求項３】
長手方向に垂直な断面において、前記保持部の前記光ファイバ心線との接触面は、湾曲した曲面であることを特徴とする請求項２記載のアタッチメント。
【請求項４】
請求項２または請求項３に記載のアタッチメントと、
前記アタッチメントの前記保持部に保持される光ファイバ心線と、
を具備し、
前記保持部の対向面の間隔は、前記光ファイバ心線の外径よりも狭く、前記スリットが開いた状態であることを特徴とする光ファイバ心線保持構造。
【請求項５】
請求項４記載の光ファイバ心線保持構造を具備し、
前記アタッチメントを把持する把持部材と、
前記把持部材が収容される固定部と、
を具備することを特徴とする光コネクタ。
【発明の詳細な説明】
【技術分野】
【０００１】
本発明は、光ファイバ心線を従来から使用されている把持部材で把持可能にするためのアタッチメント等に関するものである。
【背景技術】
【０００２】
従来から、外被把持型の光コネクタが使用されている。外被把持型の光コネクタには、光ファイバケーブルを把持した外被把持部材が固定される。外被把持部材は、通常、光ファイバケーブルが挿入される溝の対向する内側面に、対向する刃部が設けられ、刃部を外被に食い込ませることで光ファイバケーブルを把持するものである。
【０００３】
このような把持部材としては、異なるサイズの光ファイバケーブルを把持することが可能な外被把持部材が提案されている（特許文献１）。特許文献１は、２．０×３．１ｍｍのドロップケーブルであっても、１．６×２．０ｍｍの細径インドアケーブルで光っても、把持爪が適切に食い込んだ状態で把持することができるものである。
【先行技術文献】
【特許文献】
【０００４】
【特許文献１】特開２０１１−９５４５４号公報
【発明の概要】
【発明が解決しようとする課題】
【０００５】
しかし、従来のインドアケーブル等は、敷設した際に目立つため、より目立ちにくい敷設構造が望まれている。このため、インドアケーブルのような外被を有するものではなく、光ファイバ心線を直接室内外に敷設することが検討されている。しかし、光ファイバ心線は外被を有さないため、従来の把持部材を用いることができない。
【０００６】
また、仮に、光ファイバ心線を他の筒状部材（キャピラリ）に挿通し、筒状部材を把持部材で把持しようとすると、筒状部材に光ファイバ心線を挿通する作業が必要である。この際、光ファイバ心線を確実に保持するためには、筒状部材の孔のサイズを光ファイバ心線の外径に対して大きくすることができず、光ファイバ心線を筒状部材に挿通することが困難である。特に、光ファイバ心線は、光ファイバケーブル用にテンションメンバを有さないため、剛性が低く、筒状部材に光ファイバ心線を挿通して保持することは困難である。
【０００７】
また、光ファイバ心線の端部ではなく、光ファイバ心線の長さ方向の途中に筒状部材を装着しようとすると、筒状部材を光ファイバ心線の所望の位置まで移動させる必要があり、作業性が悪い。
【０００８】
本発明は、このような問題に鑑みてなされたもので、光ファイバ心線のように外被を有さない光ファイバであっても把持部材で把持することができ、作業性にも優れるアタッチメント等を提供することを目的とする。
【課題を解決するための手段】
【０００９】
前述した目的を達するために第１の発明は、光ファイバ心線または光ファイバケーブルの外周に取り付けられるアタッチメントであって、長手方向に垂直な断面において、前記アタッチメントは、一方の側面にスリットが設けられ、前記スリットから、光ファイバ心線または光ファイバケーブルを前記アタッチメントに挿入可能であることを特徴とするアタッチメントである。
【００１０】
前記アタッチメントは、光ファイバ心線の外周に取り付けられるものであり、前記アタッチメントの略中央には、前記光ファイバ心線を保持可能な保持部が設けられ、長手方向に垂直な断面において、前記スリットは、前記スリットの開口部側から前記保持部の位置よりも奥まで形成されることが望ましい。
【００１１】
長手方向に垂直な断面において、前記保持部の前記光ファイバ心線との接触面は、湾曲した曲面であってもよい。
【００１２】
第１の発明によれば、アタッチメントの側面にスリットが形成されるため、光ファイバ心線等に容易に取り付けることが可能である。この際、光ファイバ心線のように細い対象物にも装着が容易であり、また、光ファイバ心線等の長手方向の任意の部位に容易に装着することができる。
【００１３】
また、アタッチメントの略中央に、光ファイバ心線を保持可能な保持部が設けられれば、より確実に光ファイバ心線をアタッチメントの中央に保持することができる。この際、長手方向に垂直な断面において、スリットが、スリットの開口部側から保持部の位置よりも奥まで形成されれば、アタッチメントに光ファイバを保持させた際に、アタッチメントが過剰に開きすぎることがない。
【００１４】
特に、保持部の光ファイバ心線との接触面が湾曲した曲面であれば、光ファイバ心線を確実にアタッチメントの中央に保持することができる。
【００１５】
第２の発明は、第１の発明にかかるアタッチメントと、前記アタッチメントの前記保持部に保持される光ファイバ心線と、を具備し、前記保持部の対向面の間隔は、前記光ファイバ心線の外径よりも狭く、前記スリットが開いた状態であることを特徴とする光ファイバ心線保持構造である。
【００１６】
第２の発明によれば、アタッチメントによって確実に光ファイバ心線を保持することができる。
【００１７】
第３の発明は、第２の発明にかかる光ファイバ心線保持構造を具備し、前記アタッチメントを把持する把持部材と、前記把持部材が収容される固定部と、を具備することを特徴とする光コネクタである。
【００１８】
第３の発明によれば、光ファイバ心線を把持部材で把持させて、把持部材を固定した光コネクタを得ることができる。
【発明の効果】
【００１９】
本発明によれば、光ファイバ心線のように外被を有さない光ファイバであっても把持部材で把持することができ、作業性にも優れるアタッチメント等を提供することができる。
【図面の簡単な説明】
【００２０】
【図１】アタッチメント１の斜視図。
【図２】アタッチメント１の正面図。
【図３】（ａ）はアタッチメント１の平面図、（ｂ）はアタッチメント１の左方向側面図、（ｃ）はアタッチメント１の右方向側面図。
【図４】（ａ）は、光ファイバ心線７をアタッチメント１に挿入する前の状態を示す図、（ｂ）は、光ファイバ心線７をアタッチメント１に挿入した状態を示す図。
【図５】図４（ｂ）のＤ−Ｄ線断面図であって、光ファイバ心線保持構造９を示す図。
【図６】アタッチメント１を把持部材１１に把持させた状態を示す図。
【図７】光コネクタ１５を示す図。
【図８】光ファイバケーブル保持構造９ａを示す図。
【発明を実施するための形態】
【００２１】
以下、図面を参照しながら、本発明の実施形態について説明する。図１は、アタッチメント１の斜視図であり、図２は、アタッチメント１の正面図である。また、図３（ａ）はアタッチメント１の平面図（図２のＡ矢視図）、図３（ｂ）はアタッチメント１の左方向側面図（図２のＢ矢視図）、図３（ｃ）はアタッチメント１の右方向側面図（図２のＣ矢視図）である。なお、アタッチメント１の背面図、底面図は、それぞれ正面図、平面図と対称に表れる。
【００２２】
アタッチメント１は、正面視での形状（図２）が、長手方向に連続する。すなわち、アタッチメント１の長手方向に垂直な任意の位置の断面形状は、正面視形状と同一となる。
【００２３】
アタッチメント１は、光ファイバ心線の外周に取り付けられ、光ファイバ心線を保持する部材である。アタッチメント１は、略矩形の断面形状である。なお、アタッチメント１のサイズは、従来から使用されているインドアケーブルとほぼ同様である。具体的には、例えば、３．１ｍｍ幅×２．０ｍｍ厚である。
【００２４】
正面視（長手方向に垂直な断面）において、アタッチメント１の短辺側の一方の側面からスリット３が形成される。スリット３は、一方の側から、幅方向の中央よりも深く形成される。すなわち、スリット３の長さは、アタッチメント１の幅の１／２よりも長い。なお、スリット３は、図示したように、略コの字状にある程度の隙間を有してもよく、単なる切れ込みであってもよい。また、スリット３が隙間を有する場合には、スリット３における隙間は、保持対象の光ファイバ心線の外径よりも狭いことが望ましい。
【００２５】
正面視（長手方向に垂直な断面）において、アタッチメント１の略中央には、保持部５が設けられる。保持部５は、光ファイバ心線を保持する部位であり、スリット３の内面（対向する両面）に形成される凹部である。保持部５は、スリット３の途中に形成される。すなわち、スリット３は、スリット３の開口部側から保持部５の位置よりも奥まで形成される。
【００２６】
保持部５における対向面の最大間隔は、スリット３における対向面の隙間よりも広い。また、光ファイバ心線を保持していない状態（定常状態）においては、保持部５の対向面の間隔は、保持対象の光ファイバ心線の外径よりも狭いことが望ましい。具体的には、０．９ｍｍ径の光ファイバ心線を保持するためには、保持部５の対向面間隔を０．８ｍｍとすればよい。
【００２７】
保持部５の光ファイバ心線との接触面は湾曲した曲面形状である。すなわち、保持部５は、スリット３の内面に形成された円弧状の凹部である。なお保持部５の曲面の曲率半径は、光ファイバ心線の外形の曲率半径と同一とすることが望ましいが、光ファイバの外形の曲面の曲率半径よりもやや大きめでもよい。なお、保持部５の形状は、必ずしも図示した例には限られず、円弧状としなくてもよい。
【００２８】
アタッチメント１は、樹脂製である。アタッチメント１を構成する樹脂は、後述する把持部材を構成する樹脂よりも軟らかい必要がある。把持部材は、一般的に、硬めのポリプロピレンである。より具体的には、一般的には、ロックウェル硬度（Ｒスケール、ＪＩＳ  Ｋ７２０２−２）が１１０程度、弾性率が２，０００ＭＰａ（ＪＩＳ  Ｋ７１６１）程度である。したがって、これよりも軟らかい樹脂を選択する必要がある。
【００２９】
アタッチメント１を構成する樹脂としては、たとえば、ポリオレフィン樹脂、エチレン−酢酸ビニル共重合体、エチレン−アクリル酸エチルコポリマー、メタセロンポリエチレンなどを適用可能である。具体的には、引張強度が５〜２０ＭＰａ、引張伸びが１００〜７００％、デュロメータＤ硬度が４５〜６２、ヤング率が３００〜８００ＭＰａのものを選択することが望ましい。また、光ファイバ心線７との摩擦係数が大きな材料であることが望ましい。
【００３０】
次に、アタッチメント１の使用方法について説明する。図４（ａ）は光ファイバ心線７にアタッチメント１を取り付ける前の状態を示す図である。光ファイバ心線７は、アタッチメント１の側方から挿入される。
【００３１】
アタッチメント１のスリット３の開口部をわずかに開いて光ファイバ心線７をアタッチメント１に挿入すると、図４（ｂ）に示すように、光ファイバ心線７の外周にアタッチメント１が装着される。
【００３２】
図５は、図４（ｂ）のＤ−Ｄ線断面図である。光ファイバ心線７にアタッチメント１を装着すると、光ファイバ心線７がアタッチメント１の中央の保持部５に保持される。ここで、保持部５における対向面の間隔は、光ファイバ心線７の外径よりも狭いため、アタッチメント１に光ファイバ心線７を挿入すると、定常状態（光ファイバ心線保持前）と比較してスリット３は開いた状態となる（図中矢印Ｅ）。すなわち、スリット３の開口部側のアタッチメント１の厚みＦが、光ファイバ心線７を挿入する前に対して大きくなる。
【００３３】
なお、スリット３が保持部５よりも深く形成されることで、光ファイバ心線７を挿入した際にアタッチメント１の口開き量が大きくなりすぎず、適度にアタッチメント１の高さを増やすことができる。
【００３４】
図６は、把持部材１１にアタッチメント１を把持させた状態を示す図である。把持部材１１は、把持部材１１の本体と図示を省略した蓋部材とからなる。本体には、ケーブル挿入溝が形成される。ケーブル挿入溝は、把持部材１１の一方の側に開口する。ケーブル挿入溝の内側面には、互いに対向するように、刃部１３が形成される。
【００３５】
刃部１３が形成される部位が、アタッチメント１の把持部となる。対向する刃部１３の先端同士の間隔は、アタッチメント１の厚みよりも狭い。なお、従来の把持部材１１は、インドアケーブルやドロップケーブルの規格に沿うように設計される。したがって、アタッチメント１の厚みは、従来のインドアケーブルやドロップケーブルの規格と同様に設計することが望ましい。
【００３６】
ケーブル挿入溝の上方からアタッチメント１（光ファイバ心線７）を挿入すると、刃部１３の先端が、アタッチメント１に食い込むことで、アタッチメント１で保持された光ファイバ心線７を把持することができる。
【００３７】
特に、本実施形態では、光ファイバ心線７を保持した状態のアタッチメント１が、わずかに開いた状態となるため、厚みが厚くなる。このため、把持部材１１に押し込んだ際に、刃部１３を確実にアタッチメント１に食い込ませることができる。また、アタッチメント１が刃部１３によって両側から押し付けられるため、確実に光ファイバ心線７を確実に保持することができる。
【００３８】
図７は、把持部材１１で光ファイバ心線を保持した光ファイバ心線保持構造を具備した光コネクタ１５の一例を示す図である。光コネクタ１５は、アタッチメント１を把持する把持部材１１と、把持部材１１が収容されて固定される固定部１９と、光ファイバ心線７を把持するメカニカルスプライス１７と、他のコネクタ等と接続可能なコネクタ部２１とから構成される。
【００３９】
光コネクタ１５の一方の端部には、固定部１９が設けられる。固定部１９には、アタッチメント１が把持された把持部材１１が固定される。光コネクタ１５の他方の端部には、コネクタ部２１が設けられる。コネクタ部２１内には、光ファイバ心線が固定されたフェルールが内蔵される。
【００４０】
フェルールに固定された光ファイバ心線と、アタッチメント１で保持された光ファイバ心線７とは、光コネクタ１５の内部に形成されるメカニカルスプライス１７によって互いに光接続される。
【００４１】
メカニカルスプライス１７では、把持部材１１で把持された光ファイバ心線７を、蓋部材と本体とで挟み込んで保持することができる。例えば、メカニカルスプライス１７本体には、軸方向に沿ってＶ溝が形成され、外周からばね部材によって蓋部材と本体とを挟み込むことで、光ファイバ心線７が蓋部材と本体との間で保持される。
【００４２】
以上のように、本実施の形態によれば、従来のインドアケーブルなどと同様に、光ファイバ心線７を把持部材１１で把持して、外被把持型の光コネクタ１５に利用することができる。したがって、従来の把持部材１１や光コネクタ１５を利用することができる。すなわち、従来は、インドアケーブル等を対象に設計されていた把持部材１１や光コネクタ１５などを、光ファイバ心線７に適用することができる。この結果、インドアケーブルよりも目立ちにくい光ファイバ心線７を容易に、室内外に敷設することが可能となる。
【００４３】
また、アタッチメント１は、側面からスリット３が形成されているため、アタッチメント１の側方から光ファイバ心線７を挿入することができる。このため、光ファイバ心線７の長手方向の端部のみではなく、途中の部位に装着することも容易である。
【００４４】
また、アタッチメント１の中央には、光ファイバ心線７を保持する保持部５が形成されるため、光ファイバ心線７が確実にアタッチメント１の中央に保持される。この際、保持部５の光ファイバ心線７との接触面が、湾曲した曲面であるため、より確実に光ファイバ心線７の位置決めを行うことができるとともに、光ファイバ心線７とアタッチメント１との接触面積を増加させることができる。
【００４５】
また、保持部５の間隔が光ファイバ心線７の外径よりもわずかに狭くすることで、アタッチメント１を把持部材１１に把持させた際に、光ファイバ心線７がアタッチメント１によって押圧され、光ファイバ心線７を確実に保持することができる。
【００４６】
また、スリット３が保持部５よりも幅方向の奥まで形成されるため、保持部５に光ファイバ心線７を保持させた際に、スリット３が開きすぎることがない。
【００４７】
なお、本発明は、光コネクタ１５以外にも適用可能である。例えば、キャビネットやローゼットなどにおいて、収容部の側面には、光ファイバケーブルを保持して固定可能なように、切れ込みが形成される。この切れ込みのサイズは、取り扱われる光ファイバケーブルの外径よりもわずかに小さく設計され、光ファイバケーブルをこの切れ込みに押し込むことで、光ファイバケーブルが保持されて固定される。
【００４８】
本実施形態におけるアタッチメント１を用いれば、キャビネットやローゼットなどの切れ込み部に、アタッチメント１を装着した光ファイバ心線７を固定することができる。したがって、従来から使用されている、キャビネットやローゼットなどに、光ファイバ心線７に適用することができる。
【００４９】
また、本発明のアタッチメントは、光ファイバ心線７のみではなく、従来の光ファイバケーブルよりも細径である光ファイバケーブルにも適用可能である。例えば、図８に示す光ファイバケーブル保持構造９ａのように、アタッチメント１ａを光ファイバケーブル２３の外周に取り付け、光ファイバケーブル２３を保持部５で保持することもできる。光ファイバケーブル２３は、従来のインドアケーブルと同様の構成であるが、従来のインドアケーブルよりも細径である。
【００５０】
アタッチメント１ａは、アタッチメント１とほぼ同一の構造であるが、保持部５の形状が異なる。アタッチメント１ａの保持部５は、光ファイバケーブル２３の外形に対応する。
【００５１】
前述した様に、把持部材１１は、一般的なサイズのインドアケーブル等に合わせて設計されるため、細径インドアケーブルを把持することができない。しかし、アタッチメント１ａを用いれば、アタッチメント１ａによって光ファイバケーブル２３を保持することにより、アタッチメント１ａを把持部材１１に固定することができる。
【００５２】
なお、光ファイバケーブル２３は、テンションメンバ等を具備し、ある程度の剛性を有するため、光ファイバ心線７と比較すると、筒状のアタッチメントを装着することも容易である。したがって、必ずしも、スリット３を形成せずに、筒状のアタッチメントも使用可能である。しかし、アタッチメント１ａのように、側方からスリット３を形成し、スリット３から光ファイバケーブル２３を挿入可能とすることで、光ファイバケーブル２３の長手方向の端部ではなく、任意の中間部にも容易に装着が可能である。
【００５３】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００５４】
１、１ａ………アタッチメント
３………スリット
５………保持部
７………光ファイバ心線
９………光ファイバ心線保持構造
９ａ………光ファイバケーブル心線保持構造
１１………把持部材
１３………刃部
１５………光コネクタ
１７………メカニカルプライズ
１９………固定部
２１………コネクタ部
２３………光ファイバケーブル
【図１】
2017032934.tif 000003
【図２】
2017032934.tif 000004
【図３】
2017032934.tif 000005
【図４】
2017032934.tif 000006
【図５】
2017032934.tif 000007
【図６】
2017032934.tif 000008
【図７】
2017032934.tif 000009
【図８】
2017032934.tif 000010